(57)【特許請求の範囲】
【請求項１】
燃料極部と、負電極部と、電解質部と、正電極部と、空気極部と、を有し、
前記負電極部の内部と前記正電極部の内部の少なくとも一方には、導電部が挿通されるとともに、
前記導電部は、前記負電極部の内部と前記正電極部の内部から外部に露出される露出部が形成され、
前記露出部は、外部接続端子と接続されるように構成される、ことを特徴とする燃料電池。
【請求項２】
前記燃料極部は、中空形状に形成された基体管の外周に形成され、
前記負電極部は、前記燃料極部の外周に形成され、
前記電解質部は、前記負電極部の外周に形成され、
前記正電極部は、前記電解質部の外周に形成され、
前記空気極部は、前記正電極部の外周に形成される、
ことを特徴とする請求項１に記載の燃料電池。
【請求項３】
請求項１又は２に記載の燃料電池と、
前記燃料電池が内部に配設された電気ケーブルが前記燃料電池と電気的に接続される接続部に接続された状態において前記燃料電池からの給電により機能を動作させる機能動作部と、を有することを特徴とする携帯電子機器。
【発明の詳細な説明】
【技術分野】
【０００１】
本発明は、燃料電池及び携帯電子機器に関する。
【背景技術】
【０００２】
携帯機器用の燃料電池として、メタノール（ＣＨ３ＯＨ）を燃料とした小型のダイレクトメタノール型燃料電池（ＤＭＦＣ、Ｄｉｒｅｃｔ  Ｍｅｔｈａｎｏｌ  ｆｕｅｌ  ｃｅｌｌｓ）が知られている。また、ＤＭＦＣの発電部分は、燃料極、負（触媒）電極、セパレータ（電解質膜）、正（触媒）電極、空気極を積層した平面構造になっている。
【０００３】
また、燃料電池は、様々な用途に応用できるように一定の大きさを有する単位（セルと呼ばれる）で構成されている。例えば、高電圧が必要な場合には、複数のセルを直列接続により構成したものを用い、また、高電流が必要な場合には、表面積の広いセルを用いる。また、図６（ａ）は、燃料電池の厚さ方向の薄型化を図るためにセルを並列配置したときの構成例を示し、図６（ｂ）は、燃料電池の平面方向の省スペース化を図るためにセルを積層配置したときの構成例を示す。
【０００４】
また、近年においては、正負の電極と電解質膜とを一体化したＭＥＡ（Ｍｅｍｂｒａｎｅ  Ｅｌｅｃｔｒｏｄｅ  Ａｓｓｅｍｂｌｙ）が平面構造として利用されている。なお、ＭＥＡとは、膜（Ｍｅｍｂｒａｎｅ）と電極（Ｅｌｅｃｔｒｏｄｅ）の接合体（Ａｓｓｅｍｂｌｙ）を意味している。
【０００５】
また、平面方向において電極板を取リ付け可能であるため、電気抵抗を低く保つことができ、効率の良い発電を行うことができる。但し、構造上、燃料極面には、燃料を流すための流路を形成する必要がある。
【０００６】
ここで、図７を用いて燃料電池の動作原理について説明する。燃料電池３００は、図７に示すように、燃料極３０１と、負（触媒）電極３０２と、セパレータ（電解質膜）３０３と、正（触媒）電極３０４と、空気極３０５とから構成される発電部分と、負（触媒）電極３０２に電気的に接続されている負極導体３０６と、正（触媒）電極３０４に電気的に接続されている正極導体３０７とにより構成されている。
【０００７】
また、燃料極３０１と負（触媒）電極３０２との間には密閉等のための外周シール３０８が設けられ、正（触媒）電極３０４と空気極３０５との間には密閉等のための外周シール３０９が設けられている。また、燃料極３０１には、燃料であるメタノール（ＣＨ３ＯＨ）と水（Ｈ２Ｏ）を注入するための燃料注入口３１０が設けられている。また、燃料極３０１内には、燃料注入口３１０から注入されたメタノール（ＣＨ３ＯＨ）と水（Ｈ２Ｏ）が流れる流路３１１が形成されている。
【０００８】
ここで、燃料極３０１では、メタノール（ＣＨ３ＯＨ）が水（Ｈ２Ｏ）と反応して二酸化炭素（ＣＯ２）と、水素イオン（Ｈ＋）と、電子（ｅ−）を生成する（ＣＨ３ＯＨ＋Ｈ２Ｏ→ＣＯ２＋６Ｈ＋＋６ｅ−）。
【０００９】
水素イオン（Ｈ＋）は、電解質膜３０３を通って空気極３０５へ移動し、一方、電子（ｅ−）は、負極導体３０６から負荷３１２及び正極導体３０７を介して空気極３０５に移動する。
【００１０】
空気極３０５では、空気中から吸収した酸素（３／２Ｏ２）と、電解質膜３０３を介して移動してきた水素イオン（６Ｈ＋）と、負極導体３０６から負荷３１２及び正極導体３０７を介して移動してきた電子（６ｅ−）とが反応して水（水蒸気）になる（３／２Ｏ２＋６Ｈ＋＋６ｅ−→３Ｈ２Ｏ）。したがって、空気極３０５では、酸素（３／２Ｏ２）の吸入と水蒸気（３Ｈ２Ｏ）の排気が行われる。
【００１１】
このようにして、燃料極３０１と空気極３０５とにおける反応が繰り返されることにより、負極導体３０６と正極導体３０７間に一定電流が生じ、負極導体３０６と正極導体３０７との間に配設されている負荷３１２に一定の電圧が印加される（例えば、特許文献１及び２を参照）。
【特許文献１】特開２００３−２９７３７２号公報
【特許文献２】特開２００２−５３９５８７号公報
【発明の開示】
【発明が解決しようとする課題】
【００１２】
ところで、必要となる発電量の増加に伴って燃料電池自体が大型化すると、負電極３０２の内部及び正電極３０４の内部での電気抵抗が増加し、発電効率の減少が生じるという課題があった。
【００１３】
本発明は、上述のような課題に鑑みてなされたものであり、その目的の一つは、必要となる発電量の増加に伴って燃料電池が大型化しても、発電効率の減少が抑制される燃料電池及び携帯電子機器を提供することにある。
【課題を解決するための手段】
【００１４】
本発明に係る燃料電池は、上記課題を解決するために、燃料極部と、負電極部と、電解質部と、正電極部と、空気極部と、を有し、前記負電極部の内部と前記正電極部の内部の少なくとも一方には、導電部が挿通されるとともに、前記導電部は、前記負電極部の内部と前記正電極部の内部から外部に露出される露出部が形成され、前記露出部は、外部接続端子と接続されるように構成される、ことを特徴とする。
【００１６】
本願発明の燃料電池では、燃料極部は、中空形状に形成された基体管の外周に形成され、負電極部は、燃料極部の外周に形成され、電解質部は、負電極部の外周に形成され、正電極部は、電解質部の外周に形成され、空気極部は、正電極部の外周に形成される。
【００１８】
また、本発明に係る携帯電子機器は、上記課題を解決するために、前記燃料電池と、前記燃料電池が内部に配設された電気ケーブルが前記燃料電池と電気的に接続される接続部に接続された状態において前記燃料電池からの給電により機能を動作させる機能動作部と、を有することを特徴とする。
【発明の効果】
【００２０】
本発明によれば、必要となる発電量の増加に伴って燃料電池が大型化しても、負電極部の内部及び正電極部の内部での電気抵抗が導電部の影響により増大しないため、発電効率の減少を抑制することができる。
【発明を実施するための最良の形態】
【００２１】
以下、本発明の実施の形態について説明する。
【００２２】
図１は、本発明に係る燃料電池が接続される携帯端末の一例である携帯電話装置１の外観斜視図を示す。なお、以下では、携帯電話装置について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００２３】
携帯電話装置１は、操作部側筐体部２と、表示部側筐体部３と、を備えて構成される。操作部側筐体部２は、表面部１０に、操作キー群１１と、携帯電話装置１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００２４】
また、表示部側筐体部３は、表面部２０に、各種情報を表示するためのディスプレイ２１と、通話の相手側の音声を出力する音声出力部２２と、を備えて構成されている。
【００２５】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２６】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）等であっても良い。
【００２７】
また、図２は、携帯電話装置１の機能を示す機能ブロック図である。なお、携帯電話装置１には、補助用の電池として外部から燃料電池３０が接続される。
【００２８】
携帯電話装置１は、図２に示すように、外部の端末と通信を行う通信部６０と、所定の処理を行う処理部７０と、所定容量を有する充電池８０と、電源供給源として充電池８０と燃料電池３０のいずれか一方を選択するように切り替える切替部８１と、切替部８１を介して供給される電源電圧を所定の電圧に変換し、変換後の電圧を通信部６０や処理部７０等に供給する電源回路部８２と、を備えている。
【００２９】
通信部６０は、所定の使用周波数帯により外部装置と通信を行うメインアンテナ６１と、変調処理又は復調処理等の信号処理を行う通信処理部６２と、を備える。
【００３０】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、メインアンテナ６１は、所定の使用周波数帯の他に、第２の使用周波数帯（例えば、２ＧＨｚ）に対応できる、いわゆるデュアルバンド対応型による構成であっても良いし、さらに、第３の使用周波数帯にも対応できる複数バンド対応型により構成されていても良い。
【００３１】
通信処理部６２は、メインアンテナ６１によって受信した信号を復調処理し、処理後の信号を処理部７０に供給し、一方、処理部７０から供給された信号を変調処理し、メインアンテナ６１を介して外部装置（基地局）に送信する。
【００３２】
充電池８０は、本実施例では、大きさ、重さ、容量等の観点から小型、軽量、充放電可能なリチウムイオン（Ｌｉ  ｉｏｎ）電池であるとするが、特にこれに限られず、例えば、リチウムポリマー電池等であっても良い。
【００３３】
処理部７０は、負荷の状態等に応じて、切替部８１に対して電源供給源の切り替え命令を行う。切替部８１は、処理部７０からの命令によって充電池８０と燃料電池３０とを切り替える。
【００３４】
電源回路部８２は、充電池８０又は燃料電池３０から供給される電源電圧を所定の電圧値に変圧し、変圧後の電源電圧を通信部６０及び処理部７０に供給する。なお、電源回路部８２は、燃料電池側に昇圧回路を持っている構成であっても良い。
【００３５】
ここで、本発明に係る燃料電池３０の構成について説明する。なお、図３（ａ）は、燃料電池３０を側面から見たときの外観図であり、図３（ｂ）は、図３（ａ）の先端部の断面を模式的に示す断面図であり、図３（ｃ）は、図３（ａ）のＡ−Ａで切断したときの断面図である。
【００３６】
燃料電池３０は、例えば、メタノール（ＣＨ３ＯＨ）を燃料とした小型のダイレクトメタノール型燃料電池（ＤＭＦＣ、Ｄｉｒｅｃｔ  Ｍｅｔｈａｎｏｌ  ｆｕｅｌ  ｃｅｌｌｓ）であって、図３に示すように、先端部分に燃料注入口３１を有する中空形状の基体管３２と、基体管３２の外周に形成される燃料極３３（燃料極部）と、燃料極３３の外周に負電極として形成される負（触媒）電極層３４（負電極部）と、負（触媒）電極層３４の外周に形成される電解質層（セパレータ）３５（電解質部）と、電解質層３５の外周に正電極として形成される正（触媒）電極層３６（正電極部）と、正（触媒）電極層３６の外周に形成される空気極３７（空気極部）とから構成される。なお、燃料電池３０の外形形状は、筒型（円筒型や多角筒型等）や楕円型のいずれであっても良い。
【００３７】
基体管３２は、内側が燃料極３３側となっており、燃料注入口３１から注入された燃料（メタノール（ＣＨ３ＯＨ）と水（Ｈ２Ｏ））の貯留場及び流路となっている。また、基体管３２は、メタノールと水とが反応して生成される二酸化炭素が排出されるが、通常は、後述する防水膜３９を介して外に排気される。また、燃料を基体管３２内に注入するときにも、二酸化炭素は基体管３２から外へ排気されるので、二酸化炭素が基体管３２内に残留することはない。
【００３８】
また、負（触媒）電極層３４内には、当該負（触媒）電極層３４の一方端側から他方端側にかけて所定の電気抵抗を有する金属性の負電極線３８（導電部の一つ）が貫通するように挿通されている。
【００３９】
また、負（触媒）電極層３４は、基体管３２の先端部分の燃料注入口３１から突出して形成されており、その負（触媒）電極層３４の先端部分には、通気性を有する防水膜３９が形成されている。
【００４０】
また、正（触媒）電極層３６内には、当該正（触媒）電極層３６の一方端側から他方端側にかけて所定の電気抵抗を有する金属性の正電極線４０（導電部の一つ）が貫通するように挿通されている。
【００４１】
また、空気極３７は、酸素を吸入し、水蒸気を排気するように通気性を有し、可撓性を有する部材で形成されている。
【００４２】
また、図３（ａ）に示すように、燃料注入口３１と空気極３７の間は、シール部材４１により密閉されている。
【００４３】
また、燃料電池３０は、全長が長いほど、燃料極３３や空気極３７の電気抵抗が増大する。ここで、一般的な燃料電池に使用されている材料について説明する。一般的な燃料電池は、燃料極及び空気極それぞれのベースの樹脂系素材に炭素を混ぜ、それに白金やルテニウム等の微細な金属粒子を散りばめて構成されている。したがって、燃料電池の抵抗率は、純粋な炭素に比べ１００倍以上になっている。
【００４４】
そこで、本発明に係る燃料電池３０では、負電極線３８及び正電極線４０に、銅等の電気抵抗の低い材料（金、銀等でも良い）を用いる。このように構成することにより、電気抵抗の低い金属導線が負（触媒）電極層３４と正（触媒）電極層３６の内部に挿通されることになるので、必要となる発電量の増加に伴って燃料電池３０が大型化しても、電気抵抗を低く抑えることができ、かつ、イオン伝導効率の高い構造を実現することができる。
【００４５】
なお、金属導線である銅の場合、抵抗値は、約１．７２×１０−８［Ω・ｍ］なのに対し、炭素の抵抗値は、高密度であっても約１．６４×１０−５［Ω・ｃｍ］である。このようにバルクの状態でも約１０００倍の差がある。一般の燃料電池は、上述したように、炭素が樹脂系のベースに塗りこまれるため、さらに抵抗率が増大する。
【００４６】
また、複数の細い線を束ねるようにして負電極線３８及び正電極線４０を構成することにより、繰り返しの屈曲に対して断線を防ぐことができる。
【００４７】
つぎに、燃料電池３０の発電の流れについて説明する。
【００４８】
燃料極３３では、メタノール（ＣＨ３ＯＨ）が水（Ｈ２Ｏ）と反応して二酸化炭素（ＣＯ２）と、水素イオン（Ｈ＋）と、電子（ｅ−）を生成する（ＣＨ３ＯＨ＋Ｈ２Ｏ→ＣＯ２＋６Ｈ＋＋６ｅ−）。
【００４９】
水素イオン（Ｈ＋）は、電解質層３５を通って空気極３７へ移動し、それに伴い、電子（ｅ−）は、負電極線３８から負荷及び正電極線４０を介して空気極３７に移動する。なお、負荷は、携帯電話装置１に相当する。
【００５０】
また、空気極３７では、空気中から吸収した酸素（３／２Ｏ２）と、電解質層３５を介して移動してきた水素イオン（６Ｈ＋）と、負電極線３８から負荷及び正電極線４０を介して移動してきた電子（６ｅ−）とが反応して水（水蒸気）になる（３／２Ｏ２＋６Ｈ＋＋６ｅ−→３Ｈ２Ｏ）。したがって、空気極３７では、酸素（３／２Ｏ２）の吸入と水蒸気（３Ｈ２Ｏ）の排気が行われる。
【００５１】
このように、燃料極３３と空気極３７とにおける反応が繰り返されることにより、負電極線３８と正電極線４０間に一定の電流が生じ、負電極線３８と正電極線４０との間に配設されている負荷に一定の電流が流れ込む。なお、本実施例においては、このような燃料極３３と空気極３７とにおける一連の反応に伴って、正電極線４０から負電極線３８に電流が流れる一連の動作を発電と定義する。
【００５２】
また、携帯電話装置１は、充電池８０の充電容量が常に一定値（例えば、満充電状態）を担保するように、充電池８０に対して燃料電池３０から電源電圧を供給し、充電動作が行われるように構成されても良い。この場合には、燃料電池３０の電流能力は、最大でも充電池８０の性能劣化を及ぼさない範囲の電流値の容量とする。このように構成することにより、電流制限回路を設ける必要がなくなり、充電制御及び装置を簡略化することができる。
【００５３】
このようにして、本発明に係る燃料電池３０は、内側から、負（触媒）電極層３４と負電極線３８を第１層目とし、電解質層３５を第２層目とし、正（触媒）電極層３６と正電極線４０を第３層目とし、酸素を吸気及び排気する空気極３７を第４層目として構成されるので、燃料極３３側に密閉構造を確保する部品を必要とせず、平面構造の燃料電池に比して、コストを抑えることができ、また、可撓性を有するため、柔軟な構造を採ることができ、また、小型化を容易に図ることができる。
【００５４】
また、基体管３２の先端部には、防水膜３９が設けられており、通常時には、ここから二酸化炭素が排気される。また、燃料が注入された際も、ここから二酸化炭素が排気される。したがって、本発明に係る燃料電池３０は、基体管３２内部に二酸化炭素が残留することはない構成になっている。
【００５５】
また、本発明に係る燃料電池３０では、負（触媒）電極層３４内に、負（触媒）電極層３４の一方端側から他方端側にかけて負（触媒）電極層３４の電気抵抗よりも低い所定の電気抵抗を有する金属性の負電極線３８が貫通するように挿通され、また、正（触媒）電極層３６内には、正（触媒）電極層３６の一方端側から他方端側にかけて正（触媒）電極層３６ａ電気抵抗よりも低い所定の電気抵抗を有する金属性の正電極線４０が貫通するように挿通されているので、管長が長大化しても、発電された電流が負（触媒）電極層３４又は正（触媒）電極層３６よりも負電極線３８又は正電極線４０の方に優先的に流れるので、発電した電気エネルギーを熱として放散される現象が抑制され、発電効率を最大限に活かすことができる。
【００５６】
また、本発明によれば、内側から負（触媒）電極層３４、負電極線３８、電解質層３５、正（触媒）電極層３６、正電極線４０により構成され、通気性の高い外壁膜を巻くことにより完成するので量産効果が出しやすく、また、巻き径や長さを調整することにより、任意の出力電圧を有する燃料電池３０を製造することができ、フレキシブルな量産対応が可能となる。
【００５７】
また、本発明に係る燃料電池３０は、出力端子に外部に露出された負電極線３８（露出部の一つ）及び正電極線４０（露出部の一つ）が利用されるため、電気的な接続方法が容易な上、接続方法の選択の幅が広い利点があり、また、ハンダ付け、圧接、圧着等、どのような方法でもフレキシブルに対応可能となり、組立て、組み付けが低コストで実現できる。
【００５８】
なお、本実施例においては、充電池８０と燃料電池３０を併用する携帯電話装置１について説明したが、携帯電話装置１は、充電池８０を有さず、燃料電池３０のみで駆動される構成であっても良い。このような構成の場合には、携帯電話装置１は、内部に充電池８０を備えないため、小型化することができ、また、デザインにおける選択の幅を広げることができる。また、本実施例においては、燃料電池３０は、筒型（円筒型や多角筒型等）や楕円型で形成されるものとして説明したが、本発明はこれに限定されることはなく、ダイレクトメタノール型燃料電池のような平面構造であっても良い。
【００５９】
＜応用例１＞
ここで、本発明に係る燃料電池３０を利用した応用例について説明する。本発明に係る燃料電池３０は、携帯電子機器用のストラップ１００に組み込むことができる。
【００６０】
ストラップ１００は、図４に示すように、一方端側に負電極線３８と正電極線４０の端部が露出形成され、他方端側に燃料注入口３１が形成されてなる燃料電池３０が内蔵された首掛け紐１０１と、首掛け紐１０１の一方端側と他方端側を固定し、一方端側に露出形成されている負電極線３８と正電極線４０とを電気的に接続する接続部１０２と、他方端側に形成されている燃料注入口３１に燃料を注入するための流路が形成されてなる固定部１０３と、接続部１０２に電気的に接続され、携帯電子機器の給電用プラグ（取付部）に電気的に接続され、携帯電子機器に電源電圧を給電する接続用プラグ１０４と、固定部１０３に固定され、電子機器を吊り下げ保持する保持部１０５と、を備える。
【００６１】
このような構成によれば、携帯電子機器用ストラップのネックレス部分に燃料電池３０を設けることができるので、例えば、燃料電池３０を内蔵しない携帯電子機器を製造することができ、携帯電子機器の小型・省スペース化を図ることができる。
【００６２】
また、燃料電池３０を携帯電子機器内部に内蔵しない構成なので、空気極３７の全周囲は、常に外部に露出されているので、十分に、酸素を吸入し、かつ水蒸気を排気することができ、発電効率を最大限に活かすことができる。
【００６３】
また、燃料電池３０は、その構造上、発電過程において発熱を伴うが、電子機器に内蔵されないため、使用温度範囲を高く設定することができる。
【００６４】
＜応用例２＞
また、本発明に係る燃料電池３０は、イヤホンケーブル２００のケーブル部分に組み込むことができる。
【００６５】
イヤホンケーブル２００（電気ケーブル）は、図５に示すように、一方端側に負電極線３８が電気的に接続されてなる負電極端子と、正電極線４０が電気的に接続されてなる正電極端子と、電気信号が入力される信号入力端子とが一体的に形成されてなるとともに、携帯電子機器の給電用プラグ（接続部）に電気的に接続されて信号の入力を行いつつ、携帯電子機器に電源電圧を給電する電子機器接続用のプラグ２０１を有し、他方端側に電気信号が出力される信号出力端子と燃料注入口３１が形成されてなるケーブル２０２と、ケーブル２０２の他方端側を固定し、他方端側に形成されている燃料注入口３１に燃料を注入するための流路が形成されている固定部２０３と、固定部２０３に固定され、信号出力端子から出力される電気信号を音に変換し出力する信号変換部２０４と、を備える。
【００６６】
このような構成によれば、イヤホンケーブル２００のケーブル部分に燃料電池３０を設けることができるので、燃料電池３０を内蔵しない電子機器を製造することができ、電子機器の小型・省スペース化を図ることができる。
【００６７】
また、燃料電池３０を電子機器内部に内蔵しない構成なので、空気極３７の全周囲は、常に外部に露出されているので、十分に、酸素を吸入し、かつ水蒸気を排気することができる、発電効率を最大限に活かすことができる。
【００６８】
また、燃料電池３０は、その構造上、発電過程において発熱を伴うが、電子機器に内蔵されないため、使用温度範囲を高く設定することができる。
【００６９】
なお、上述した応用例は一例であって、他の部品の一部、例えば、携帯電子機器の給電用プラグに電気的に接続されて信号の出力を行うとともに、携帯電子機器に電源電圧を給電する電子機器の接続用プラグを有する電気ケーブル等に、本発明に係る燃料電池３０が用いられても良い。また、本発明に係る燃料電池３０は、基体管を長くすることができる機器のケーブル類に適用されることが好ましい。
【図面の簡単な説明】
【００７０】
【図１】本発明に係る携帯電話装置の外観を示す斜視図である。
【図２】本発明に係る携帯電話装置の機能を示すブロック図である。
【図３】燃料電池の構造を示す模式図である。
【図４】本発明に係る燃料電池の第１の応用例を示す図である。
【図５】本発明に係る燃料電池の第２の応用例を示す図である。
【図６】燃料電池を並列配置及び積層配置したときの構成例を示す図である。
【図７】燃料電池の動作の説明に供する図である。
【符号の説明】
【００７１】
１  携帯電話装置
２  操作部側筐体部
３  表示部側筐体部
４  ヒンジ機構
１１  操作キー群
３０  燃料電池
３１  燃料注入口
３２  基体管
３３  燃料極
３４  負（触媒）電極層
３５  電解質層
３６  正（触媒）電極層
３７  空気極
３８  負電極線
３９  防水膜
４０  正電極線
４１  シール部材
８１  切替部
８２  電源回路部
１００  ストラップ
１０１  首掛け紐
１０２  接続部
１０３、２０３  固定部
１０４  接続用プラグ
１０５  保持部
２００  イヤホンケーブル
２０１  電子機器接続用のプラグ
２０２  ケーブル
２０４  信号変換部
【図１】
0005243770.tif 000002
【図２】
0005243770.tif 000003
【図３】
0005243770.tif 000004
【図４】
0005243770.tif 000005
【図５】
0005243770.tif 000006
【図６】
0005243770.tif 000007
【図７】
0005243770.tif 000008